【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
第一動作波長を有する第一レーザービームおよび第二動作波長を有する第二レーザービームを放出するように動作できるレーザー光源と；
第一および第二レーザービームを誘導および均質化するための光ファイバーケーブルと；
第一および第二レーザービームの直径を増大させるためのエキスパンダーと；
該レーザービームの光路上で該エキスパンダーの後ろに位置付けられた、第一および第二レーザービームを誘導しかつ第一および第二レーザービームのそれぞれの直径を制限するためのシリンダーと；
第一および第二レーザービームの光路上で該シリンダーの後ろに位置付けられた、第一および第二レーザービームをコリメートするための第一光学系と；
第一および第二レーザービームの光路上で第一光学系の後ろに位置付けられた、複数のアパーチャーを備えるスポットサイズセレクターと；
第一および第二レーザービームの光路上で該スポットサイズセレクターの後ろに位置付けられた、第一および第二レーザービームを患者の眼組織上に集束させるための第二光学系と；
第一および第二レーザービームを部分反射するように構成された光学フィルターであって、該光学フィルターが、該レーザービームの光路上で第二光学系の後ろに位置付けられ、第一レーザービームの第一パーセンテージおよび第二レーザービームの第二パーセンテージを反射し、かつ、第一パーセンテージが第二パーセンテージよりも大きい、光学フィルターと
を備える、患者の眼組織において光活性剤を活性化させるように治療を施すために構成されたレーザーシステム。
【請求項２】
スポットサイズセレクターが、調整可能なアパーチャーホイールを備える、請求項1に記載のレーザーシステム。
【請求項３】
単一のハウジング内に具備されている、請求項2に記載のレーザーシステム。
【請求項４】
ハウジングが、細隙灯顕微鏡の眼圧計ポストを受けるための開口部を備える、請求項3に記載のレーザーシステム。
【請求項５】
光ファイバーケーブルが、レーザー光源とスポットサイズセレクターとの間の唯一の光ファイバーケーブルである、請求項1に記載のレーザーシステム。
【請求項６】
レーザー光源が1.5ワット未満で動作する、請求項1に記載のレーザーシステム。
【請求項７】
レーザー光源が1.0ワット未満で動作する、請求項1に記載のレーザーシステム。
【請求項８】
レーザー光源に取り付けられた冷却システムをさらに備える、請求項1に記載のレーザーシステム。
【請求項９】
冷却システムが、ヒートパイプ、ヒートシンク、およびフィンアレイを備える、請求項8に記載のレーザーシステム。
【請求項１０】
シリンダーを出るレーザービームのフルエンス率が一定である、請求項1に記載のレーザーシステム。
【請求項１１】
第一波長で動作する第一レーザービームおよび第二波長で動作する第二レーザービームを放出するように動作でき、1.5ワットまたはそれ以下で動作するレーザー光源と；
ヒートパイプ、ヒートシンク、およびフィンアレイを備える受動的冷却システムと；
該レーザー光源に連結され、かつ、第一および第二レーザービームを誘導および均質化するように構成された光ファイバーケーブルと；
該光ファイバーケーブルに連結され、かつ、第一および第二レーザービームの直径を増大させかつ該ビームをコリメートするように構成された第一光学系と；
第一光学系に連結され、かつ、複数のアパーチャーを備えるスポットサイズセレクターと；
該スポットサイズセレクターに連結され、かつ、第一および第二レーザービームを患者の眼組織上に集束させるように構成された第二光学系と
を備える、患者の眼組織において光活性剤を活性化させるように治療を施すために構成されたレーザーシステム。
【請求項１２】
第一および第二レーザービームを部分反射するように構成された光学フィルターをさらに備えるレーザーシステムであって、該光学フィルターが、第一レーザービームの第一パーセンテージおよび第二レーザービームの第二パーセンテージを反射し、第一パーセンテージが第二パーセンテージよりも大きい、請求項11に記載のレーザーシステム。
【請求項１３】
第一動作波長を有する第一レーザービームおよび第二動作波長を有する第二レーザービームを放出するように動作できるレーザー光源と；
直径が約350〜450ミクロンであり長さが約200〜300ミリメートルである、第一および第二レーザービームを誘導および均質化するための光ファイバーケーブルと；
該光ファイバーケーブルに連結され、かつ、第一および第二レーザービームの直径を増大させかつ該ビームをコリメートするように構成された第一光学系と；
第一光学系に連結されかつ複数のアパーチャーを備えるスポットサイズセレクターであって、該スポットサイズセレクターが、第一および第二レーザービームの光路上で第一光学系の後ろに位置付けられ、該光ファイバーケーブルが、該レーザー光源と該スポットサイズセレクターとの間の唯一の光ファイバーケーブルである、スポットサイズセレクターと；
該スポットサイズセレクターに連結され、かつ、第一および第二レーザービームを患者の眼組織上に集束させるように構成された第二光学系と
を備える、患者の眼組織において光活性剤を活性化させるように治療を施すために構成されたレーザーシステム。
【請求項１４】
第一波長で動作する第一レーザービームおよび第二波長で動作する第二レーザービームを放出するように動作でき、1.5ワットまたはそれ以下で動作するレーザー光源と；
ヒートパイプ、ヒートシンク、およびフィンアレイを備える、受動的冷却システムと；
該レーザー光源に連結され、かつ、第一および第二レーザービームを誘導および均質化するように構成された光ファイバーケーブルと；
該光ファイバーケーブルに連結され、かつ、第一および第二レーザービームの直径を増大させかつ該ビームをコリメートするように構成された第一光学系と；
第一光学系に連結され、かつ、複数のアパーチャーを備えるスポットサイズセレクターと；
該スポットサイズセレクターに連結され、かつ、第一および第二レーザービームを患者の眼組織上に集束させるように構成された第二光学系であって、少なくとも第一レーザービームが該患者の眼組織内で光活性薬物を活性化させて該患者に治療を提供する、第二光学系と
を備える、患者に静脈内投与された光活性薬物を活性化させるために構成されたレーザーシステム。
【請求項１５】
光活性薬物がベルテポルフィンを含む、請求項14に記載のシステム。
【請求項１６】
バーコードによる識別、無線周波数識別（「RFID」）、電子的映像、またはウェブサイト、電子メールもしくはデータベースからのデータマイニングの少なくとも1つに基づいて、薬物についてのシステムパラメーターを同定するように構成された、識別システムと；
治療の間、波長およびパワーレベルが設定パラメーター内に保たれるように、起動中に第一および第二レーザービームをモニターし制御するように構成された、制御ユニットと
をさらに備える、請求項1に記載のレーザーシステム。
【請求項１７】
識別システムが、同定された薬物の処置パラメーターを同定し、ビーム波長、フルエンス率、パワー、および処置の持続時間の少なくとも1つを該同定された処置パラメーターにしたがって自動的に調整する、請求項16に記載のレーザーシステム。
【請求項１８】
レーザーシステムの処置パラメーターを調整する前にユーザーの確認を求め、かつそれを必要とするように構成された承認システムをさらに備える、請求項17に記載のレーザーシステム。
【手続補正２】
【補正対象書類名】明細書
【補正対象項目名】００１８
【補正方法】変更
【補正の内容】
【００１８】
さらに別の態様において、患者に静脈内投与された光活性薬物を活性化させるために構成されたレーザーシステムは、第一波長で動作する第一レーザービームおよび第二波長で動作する第二レーザービームを放出するように動作でき、1.5ワットまたはそれ以下で動作するレーザー光源と；ヒートパイプ、ヒートシンク、およびフィンアレイを備える受動的冷却システムと；レーザー光源に連結され、かつ、第一および第二レーザービームを誘導および均質化するように構成された光ファイバーケーブルと；光ファイバーケーブルに連結され、かつ、第一および第二レーザービームの直径を増大させかつそれらビームをコリメートするように構成された第一光学系と；第一光学系に連結され、かつ、複数のアパーチャーを備えるスポットサイズセレクターと；スポットサイズセレクターに連結され、かつ、第一および第二レーザービームを患者の眼組織上に集束させるように構成された第二光学系であって、少なくとも第一レーザービームが患者の眼組織内で光活性薬物を活性化させて患者に治療を提供する、第二光学系とを含む。さらなる態様において、光活性剤はベルテポルフィンを含む。
[本発明1001]
第一動作波長を有する第一レーザービームおよび第二動作波長を有する第二レーザービームを放出するように動作できるレーザー光源と；
第一および第二レーザービームを誘導および均質化するための光ファイバーケーブルと；
第一および第二レーザービームの直径を増大させるためのエキスパンダーと；
該レーザービームの光路上で該エキスパンダーの後ろに位置付けられた、第一および第二レーザービームを誘導しかつ第一および第二レーザービームのそれぞれの直径を制限するためのシリンダーと；
第一および第二レーザービームの光路上で該シリンダーの後ろに位置付けられた、第一および第二レーザービームをコリメートするための第一光学系と；
第一および第二レーザービームの光路上で第一光学系の後ろに位置付けられた、複数のアパーチャーを備えるスポットサイズセレクターと；
第一および第二レーザービームの光路上で該スポットサイズセレクターの後ろに位置付けられた、第一および第二レーザービームを患者の組織上に集束させるための第二光学系と；
第一および第二レーザービームを部分反射するように構成された光学フィルターであって、該光学フィルターが、該レーザービームの光路上で第二光学系の後ろに位置付けられ、第一レーザービームの第一パーセンテージおよび第二レーザービームの第二パーセンテージを反射し、かつ、第一パーセンテージが第二パーセンテージよりも大きい、光学フィルターと
を備える、患者に治療を施すために構成されたレーザーシステム。
[本発明1002]
スポットサイズセレクターが、調整可能なアパーチャーホイールを備える、本発明1001のレーザーシステム。
[本発明1003]
単一のハウジング内に具備されている、本発明1002のレーザーシステム。
[本発明1004]
ハウジングが、細隙灯顕微鏡の眼圧計ポストを受けるための開口部を備える、本発明1003のレーザーシステム。
[本発明1005]
光ファイバーケーブルが、レーザー光源とスポットサイズセレクターとの間の唯一の光ファイバーケーブルである、本発明1001のレーザーシステム。
[本発明1006]
光ファイバーケーブルが直径約400ミクロンであり長さ約250ミリメートルである、本発明1005のレーザーシステム。
[本発明1007]
レーザー光源が1.5ワット未満で動作する、本発明1001のレーザーシステム。
[本発明1008]
レーザー光源が1.0ワット未満で動作する、本発明1001のレーザーシステム。
[本発明1009]
レーザー光源に取り付けられた冷却システムをさらに備える、本発明1007のレーザーシステム。
[本発明1010]
冷却システムが、ヒートパイプ、ヒートシンク、およびフィンアレイを備える、本発明1008のレーザーシステム。
[本発明1011]
シリンダーを出るレーザービームのフルエンス率が一定である、本発明1001のレーザーシステム。
[本発明1012]
第一波長で動作する第一レーザービームおよび第二波長で動作する第二レーザービームを放出するように動作でき、1.5ワットまたはそれ以下で動作するレーザー光源と；
ヒートパイプ、ヒートシンク、およびフィンアレイを備える受動的冷却システムと；
該レーザー光源に連結され、かつ、第一および第二レーザービームを誘導および均質化するように構成された光ファイバーケーブルと；
該光ファイバーケーブルに連結され、かつ、第一および第二レーザービームの直径を増大させかつ該ビームをコリメートするように構成された第一光学系と；
第一光学系に連結され、かつ、複数のアパーチャーを備えるスポットサイズセレクターと；
該スポットサイズセレクターに連結され、かつ、第一および第二レーザービームを患者の眼組織上に集束させるように構成された第二光学系と
を備える、患者に治療を施すために構成されたレーザーシステム。
[本発明1013]
第一および第二レーザービームを部分反射するように構成された光学フィルターをさらに備えるレーザーシステムであって、該光学フィルターが、第一レーザービームの第一パーセンテージおよび第二レーザービームの第二パーセンテージを反射し、第一パーセンテージが第二パーセンテージよりも大きい、本発明1012のレーザーシステム。
[本発明1014]
単一のハウジング内に具備されている、本発明1013のレーザーシステム。
[本発明1015]
ハウジングが、細隙灯顕微鏡に取り付けられるように構成されている、本発明1014のレーザーシステム。
[本発明1016]
第一動作波長を有する第一レーザービームおよび第二動作波長を有する第二レーザービームを放出するように動作できるレーザー光源と；
直径が約350〜450ミクロンであり長さが約200〜300ミリメートルである、第一および第二レーザービームを誘導および均質化するための光ファイバーケーブルと；
該光ファイバーケーブルに連結され、かつ、第一および第二レーザービームの直径を増大させかつ該ビームをコリメートするように構成された第一光学系と；
第一光学系に連結されかつ複数のアパーチャーを備えるスポットサイズセレクターであって、該スポットサイズセレクターが、第一および第二レーザービームの光路上で第一光学系の後ろに位置付けられ、該光ファイバーケーブルが、該レーザー光源と該スポットサイズセレクターとの間の唯一の光ファイバーケーブルである、スポットサイズセレクターと；
該スポットサイズセレクターに連結され、かつ、第一および第二レーザービームを患者の眼組織上に集束させるように構成された第二光学系と
を備える、患者に治療を施すために構成されたレーザーシステム。
[本発明1017]
レーザービームを部分反射するように構成された光学フィルターをさらに備えるレーザーシステムであって、該光学フィルターが、第二光学系の後ろに位置付けられ、かつ、第一レーザービームの第一パーセンテージおよび第二レーザービームの第二パーセンテージを反射し、第一パーセンテージが第二パーセンテージよりも大きい、本発明1016のレーザーシステム。
[本発明1018]
レーザー光源が1.5ワットまたはそれ以下で動作する、本発明1016のレーザーシステム。
[本発明1019]
レーザー光源に取り付けられた受動的冷却システムをさらに備える、本発明1018のレーザーシステム。
[本発明1020]
受動的冷却システムが、ヒートパイプ、ヒートシンク、およびフィンアレイを備える、本発明1019のレーザーシステム。
[本発明1021]
以下の段階を含む、患者に静脈内投与された光活性薬物を活性化させる方法：
レーザー装置によって生成された、第一波長を有する第一レーザービームで、該光活性剤を活性化する段階；
第二波長で動作する第二レーザービームを生成する段階であって、第一および第二レーザービームの両方を組み合わせたパワーレベルが1.5ワットまたはそれ以下である、段階；
ヒートシンクを該レーザー装置のレーザー光源に連結させることによって該レーザー装置を受動的に冷却する段階；
該レーザー光源に連結された光ファイバーケーブルを通して第一および第二レーザービームを誘導する段階であって、該光ファイバーケーブルが第一および第二レーザービームを均質化する、段階；
第一および第二レーザービームをコリメートする段階；
第一および第二レーザービームのスポットサイズを調整する段階；ならびに
第一および第二レーザービームを該患者の眼組織上に集束させる段階であって、少なくとも第一レーザービームが該患者の眼組織内で該光活性薬物を活性化させて該患者に治療を提供する、段階。
[本発明1022]
光活性薬物がベルテポルフィンを含む、本発明1021の方法。
[本発明1023]
第一波長で動作する第一レーザービームおよび第二波長で動作する第二レーザービームを放出するように動作でき、1.5ワットまたはそれ以下で動作するレーザー光源と；
ヒートパイプ、ヒートシンク、およびフィンアレイを備える、受動的冷却システムと；
該レーザー光源に連結され、かつ、第一および第二レーザービームを誘導および均質化するように構成された光ファイバーケーブルと；
該光ファイバーケーブルに連結され、かつ、第一および第二レーザービームの直径を増大させかつ該ビームをコリメートするように構成された第一光学系と；
第一光学系に連結され、かつ、複数のアパーチャーを備えるスポットサイズセレクターと；
該スポットサイズセレクターに連結され、かつ、第一および第二レーザービームを患者の眼組織上に集束させるように構成された第二光学系であって、少なくとも第一レーザービームが該患者の眼組織内で光活性薬物を活性化させて該患者に治療を提供する、第二光学系と
を備える、患者に静脈内投与された光活性薬物を活性化させるために構成されたレーザーシステム。
[本発明1024]
光活性薬物がベルテポルフィンを含む、本発明1023のシステム。